(57)【要約】【課題】双方向の流れに対応できる夾雑物除去装置のケーシングをコンパクトにする。【解決手段】流水管Ｐにケーシング１を介設し、そのケーシング１内に設けた円筒状のフィルタ部材２によって内側を流入室３、外側を流出室４とに区画し、その両室３，４には、上流側及び下流側の流水管Ｐの両方をそれぞれ接続して、それぞれ流入室３への流入路６、流出室４からの流出路７とする。前記流出路７は、断面円形の流入路６の外周全周に位置する同心のリング状であり、その各流路６，７には、それぞれの流れ方向を許容する逆止弁２０，３０を設ける。このようにすれば、その流入路６及び流出路７を、それぞれ所定の断面積を確保しつつ全体の外径を小さくできるので、ケーシング１をコンパクトにし得る。また、各流路６，７の軸心が同心であるので、流水管Ｐからケーシング１内、ケーシング１内から流水管Ｐへの流れをさらにスムースなものとし得る。【選択図】図１
2005185895.tif 000002
【特許請求の範囲】
【請求項１】
流水管Ｐ，Ｐ’にケーシング１を介設し、そのケーシング１内に設けたフィルタ部材２によってケーシング１内を流入室３と流出室４とに区画し、その両室３，４に、上流側の流水管Ｐ及び下流側の流水管Ｐ’の両方をそれぞれ接続して、その流入室３と前記上流側、下流側の各流水管Ｐ，Ｐ’とを流入路６で、その流出室４と前記上流側、下流側の各流水管Ｐ，Ｐ’とを流出路７で連通するとともに、その各流路６，７には、それぞれの流れ方向を許容する逆止弁２０，３０を設けた夾雑物除去装置において、
前記流入路６、及び流出路７の一方が、他方の外周全周に位置するようにしたことを特徴とする夾雑物除去装置。
【請求項２】
上記フィルタ部材２は筒状を成し、上記流入室３と流出室４とはそのフィルタ部材２を挟んで内外に区画されたものであり、そのフィルタ部材２外側部分に接続される流路を、フィルタ部材２内側部分に接続される流路の外周全周に位置するようにしたことを特徴とする請求項１に記載の夾雑物除去装置。
【請求項３】
上記流入路６、及び流出路７は、その一方が他方の外周全周に位置する同心のリング状であることを特徴とする請求項１又は２に記載の夾雑物除去装置。
【発明の詳細な説明】
【技術分野】
【０００１】
この発明は、流水管内を流れる夾雑物を除去するために、流水管の途中に介設される夾雑物除去装置に関するものである。
【背景技術】
【０００２】
一般的に、流水管は、その管内面にライニング等を施すことにより錆止め等を行い、管内を流れる水に異物が混入しないようにしている。しかし、その流水管の配管工事において、孔明け工事や切断工事等を行った際に発生した金属粉が、管内の水に混入する場合がある。また、工事の際に生じた流水管の金属露出部で発生する錆や、管路内へ混じる砂利等が管内の水に混入する場合もある。これらの夾雑物は、流水管下流に供給される水の水質を悪化させるので、流水中に夾雑物があることは好ましくない。そこで、流水管の途中に、フィルタ部材を流路に介在させて、流水をそのフィルタ部材を通過させることにより夾雑物を取り除く手法が採用される。
【０００３】
この種の夾雑物除去装置は、フィルタに夾雑物が付着して目詰まりを発生させるため、定期的なフィルタ部材の清掃、又は交換が余儀なくされる。このため、その手入れを簡略化させるための種々の技術が開示されている。
【０００４】
例えば、流水管Ｐに水が流入するケーシングを介在させて、そのケーシング内を区画板によって、通常の状態で流水が流入して流出されていく貫通室と、夾雑物を排出するための排出室とを区画し、前記貫通室には筒状のフィルタ部材を固定して収納するとともに、前記排出室には大気中に水を流出できる開閉弁を設けた夾雑物除去装置がある。
【０００５】
この装置では、流水管の上流側から貫通室内の筒状フィルタ部材内側に流入した水が、そのフィルタ部材の周面を外側に向かって通過した後、その流水管の下流側に放出される。フィルタ部材を通過できなかった夾雑物は、そのフィルタ部材内周面に捕捉され、そのうち比重の小さな夾雑物はその内周面に付着し、比重の大きな夾雑物はフィルタ部材底面に落下して堆積する。
【０００６】
このとき、フィルタ部材の内側には、回転軸で軸着された対の隔離板を設けており、この対の隔離板とフィルタ部材内周面とで構成する逆洗室が、前記排出室と連通している。前記排出室と管外部とを連通する開閉弁は、通常は閉められている。排出室の開閉弁を開くことにより、管内圧と大気圧との間に水圧差が生じ、流水がフィルタ部材を外側から内側に向かって逆の向きに通過して、排出室に連通する前記逆洗室へ取り込まれる。このとき、隔離板の縁がフィルタ部材内周面に接しているので、外力により軸を回して隔離板を回転することにより、その隔離板の縁が内周面に付着した夾雑物を掻き取って除去する。除去された夾雑物は、水とともに逆洗室に流入し、その後、排出室へ移送され開閉弁を介して外部に排出される。
【０００７】
また、フィルタ部材内側の底部に堆積した夾雑物は、そのフィルタ部材の底板等に設けた小孔を介して排出室に送られる。この小孔は、排出室に向かって常時開放されていると、前記逆洗室を介して行うフィルタ内周面への吸引力が低下するため、前記軸の回転に伴って一定周期で断続的に開放されるものとしている。
【０００８】
このようにして、除去装置本体を分解等することなく、フィルタ部材に付着、堆積した夾雑物を容易に清掃できるようにしている（例えば、特許文献１参照）。
【０００９】
また、他の装置として、図１０に示す夾雑物除去装置がある。この装置は、上記装置と同様、流水管Ｐに介設したケーシング４０内を貫通室４１と排出室４５とに区画し、その貫通室４１に設けた筒状フィルタ部材４２の内側部分の流入室４３には、上流側、下流側それぞれの流水管Ｐ、Ｐ’が開口している。その各流水管Ｐ、Ｐ’からフィルタ部材４２への流入路４６，４６にはそれぞれ逆止弁５０ａ、５０ａが設けられ、このフィルタ部材４２内側部分に通ずる流路の逆止弁５０ａは、図１０に示す弁体５１を有して、上流側、下流側の各流水管Ｐ，Ｐ’からフィルタ部材４２内側部分への流れのみを許容するようになっている。
【００１０】
また、貫通室４１内のフィルタ部材４２の外側部分の流出室４４にも、上流側、下流側の前記各流水管Ｐ，Ｐ’が開口しており、そのフィルタ部材４２外側部分から各流水管Ｐ、Ｐ’への流出路４７，４７にはそれぞれ逆止弁５０ｂ，５０ｂが設けられている。このフィルタ部材４２外側部分に通ずる流路の逆止弁５０ｂは、図１０に示す弁体５１を有して、前記フィルタ部材４２外側部分から、上流側、下流側の各流水管Ｐ、Ｐ’への流れのみを許容するようになっている。
【００１１】
この装置によれば、上流側あるいは下流側の一方の流水管Ｐ，Ｐ’から貫通室内の筒状フィルタ部材４２内側部分に流入した水は、そのフィルタ部材４２の周面を内側から外側に向かって通過した後、他方の流水管Ｐ’，Ｐへと排出される。つまり、この装置は、流水管の流れ方向にかかわらず、常に、フィルタ部材４２内側部分に水が流入し、その後フィルタ部材４２を外側に向かって通過できるようになっているので、流水管Ｐ，Ｐ’に逆流の発生するような箇所でも使用できるようになっている。（例えば、特許文献２参照）
【特許文献１】特開平７−１３６４２０号公報
【特許文献２】特許第３１１８７７２号公報
【発明の開示】
【発明が解決しようとする課題】
【００１２】
しかし、上記の装置では、流水管Ｐ，Ｐ’から貫通室４１（フィルタ部材４２内側部分の流入室４３）への流入路４６、及び、その貫通室４１（フィルタ部材４２外側部分の流出室４４）から流水管Ｐ，Ｐ’への流出路４７を別々に設けて、その開口が上下方向に並列しているため、ケーシング４０に設ける開口部分はその並列方向に外形が大きくなる。また、その流入室４３、流出室４４には、それぞれ別々に逆止弁５０ａ，５０ｂを設置する必要があるので、その逆止弁５０ａ，５０ｂの開口周囲に弁座スペースを確保すると、ケーシング４０をさらに大きくしなければならない。ケーシング４０が大きくなることは、その装置の設置スペースの確保しなければならないことや、コスト面でも好ましくない。
【００１３】
そこで、この発明は、双方向の流れに対応できる夾雑物除去装置をコンパクトにすることを課題とする。
【課題を解決するための手段】
【００１４】
上記の課題を解決するために、この発明は、双方向の流れに対応できる夾雑物除去装置において、その流水管からケーシング内への接続部に設けられる流入路と流出路とを、その一方を他方で囲むように一体に配置したのである。このようにすれば、流入路、流出路それぞれに必要なケーシングへの開口部分面積（流路の断面積）を確保しながら、その両流路からなる開口部分全体の外径を小さくできるので、ケーシングをコンパクトにし得る。
【００１５】
具体的には、流水管にケーシングを介設し、そのケーシング内に設けたフィルタ部材によってケーシング内を流入室と流出室とに区画し、その両室に、上流側の流水管及び下流側の流水管の両方をそれぞれ接続して、その流入室と前記上流側、下流側の各流水管とを流入路で、その流出室と前記上流側、下流側の各流水管とを流出路で連通するとともに、その各流路には、それぞれの流れ方向を許容する逆止弁を設けた夾雑物除去装置において、前記流入路、及び流出路の一方が、他方の外周全周に位置するようにしたのである。
【００１６】
前記上流側、下流側の各流水管とケーシングとの連通部分は、それぞれ、流入室への流入路と流出室からの流出路の双方を備えており、その双方の流路には、それぞれ許される流れ方向にのみ開く逆止弁を併設しているので、流水管に生じる双方向の流れに対応できるようになっている。すなわち、上流側あるいは下流側のいずれか一方の流水管からケーシング内に流入した水は、前記フィルタ部材を流入室側から流出室側に向かって通過した後、他方の流水管へと放出される。
【００１７】
このとき、前記上流側、下流側の各連通部分において、前記流入路、流出路のいずれか一方が、他方の外周全周に位置しているので、その双方の流路の中心がともに流水管の軸心に向きやすい。このため、その流路を介する流水管からケーシング内、及びケーシング内から流水管への流れがスムースである。
【００１８】
上記の構成において、上記フィルタ部材を筒状を成すものとし、上記流入室と流出室とは、そのフィルタ部材を挟んで内外に区画するとともに、そのフィルタ部材外側部分に接続される流路を、フィルタ部材内側部分に接続される流路の外周全周に位置するように配置した構成を採用し得る。このようにすれば、フィルタ部材内側部分に接続される流路が、流水管の軸心に近い中央側に配置され、フィルタ部材外側に接続される流路は、流水管の軸心から遠い外側に位置するように配置されて、内外各流路が、それぞれ対応するフィルタ部材内外両室に最短距離で接続されるので、流水をスムースな流れとし得る。
【００１９】
また、前記流入路及び流出路は、その一方が他方の外周全周に位置する同心のリング状とすれば、その流入路及び流出路を、それぞれ所定の断面積を確保しつつ全体の外径を最も小さいものとし得る。また、その内側、外側に位置する各流路の軸心が同心であるので、流水管からケーシング内、ケーシング内から流水管への流れをさらにスムースなものとし得る。
【発明の効果】
【００２０】
この発明は、以上のように、ケーシングの流入口、流出口のいずれか一方を他方の外周に位置するようにしたので、流入口、流出口全体の外径が小さくなりケーシングをコンパクトにし得る。
【発明を実施するための最良の形態】
【００２１】
一実施形態を図１乃至図５、及び図６（ａ）に示し、この実施形態の夾雑物除去装置は、流水に混入した異物（夾雑物）を除去するために、流水管の途中に介設されるフィルタ式の夾雑物除去装置である。
【００２２】
この装置は、図１に示すように、流水管Ｐ，Ｐ’の途中にケーシング１を介在させて設け、そのケーシング１内には、円筒状のフィルタ部材２を設けて、そのフィルタ部材２によってケーシング１内を、フィルタ部材２内側部分の流入室３とフィルタ部材２外側部分の流出室４とに区画する。フィルタ部材２は、その筒軸方向が流水管Ｐ，Ｐ’の軸心Ｌに直交する方向になるように設置されており、その周面は網状に形成されてその網目の細孔を流体は通過するが、所定の大きさ以上の夾雑物は捕捉されるようになっている。また、そのフィルタ部材２の上端面はケーシング１の上蓋１ａに夾雑物の流出がない程度に密着しており、下端面は、閉じられてケーシング１底壁１ｂに固定されている。
【００２３】
ケーシング１内の前記流入室３、及び流出室４には、上流側部１２ａの流水管Ｐ及び下流側部１２ｂの流水管Ｐ’の両方をそれぞれ接続する。その接続方法は、前記フィルタ部材２の周面の筒軸方向中程に前記両流水管Ｐ，Ｐ’に向く円形の開口２ａ，２ａを形成し、その開口２ａ，２ａには、周面外側に突出する同じ断面円形を成す接続管５，５の一端が接続されている。その接続管５，５の他端は、図１及び図２に示すように、前記ケーシング１の本体部１０と、前記上流側部１２ａ、下流側部１２ｂの各流水管Ｐ，Ｐ’との接続部１１ａ，１１ｂに向かってそれぞれ開口している。
【００２４】
接続部１１ａ，１１ｂがそれぞれ流水管Ｐ，Ｐ’に直交する方向の断面は、前記接続管５の断面よりも大きい円形を成しており、その接続部１１ａ，１１ｂ内において前記接続管５，５は同心に配置されている。つまり、図１に示すように、その軸心が一本の直線Ｌ上に位置する流水管Ｐ，Ｐ’の途中にケーシング１が介設されているので、前記両接続部１１ａ，１１ｂと流水管Ｐ、及び両接続管５，５とは、それぞれその軸心が共に一致した状態となっている。
【００２５】
その各接続管５，５は、前記流入室３と各接続部１１ａ，１１ｂとをそれぞれ連通して、前記上流側部１２ａ、下流側部１２ｂの各流水管Ｐ，Ｐ’に繋がる流入路６，６を成し、その接続管５の外周部分は、前記流出室４と各接続部１１ａ，１１ｂとをそれぞれ連通して、前記上流側部１２ａ、下流側部１２ｂの各流水管Ｐ，Ｐ’に繋がる流出路７，７を成し、その流出路７は、前記流入路６の外周全周に亘って連続的に囲むように配置されて、前記流入路６の軸心と同心のリング状を成している。その各流路６，７には、それぞれの流れ方向にのみ流れを許容する逆止弁２０，３０を設けている。
【００２６】
逆止弁２０の構成は、図６（ａ）に示すように、断面円形の流入路６を左右に２分割して、その２分割した各流路をそれぞれ塞ぐように設けた対の半円状の弁体２１，２１と、その半円状の弁体２１，２１を開閉自在に支持するヒンジ軸２２からなる。前記半円状の両弁体２１，２１は、その対の弦２１ａ，２１ａの部分が対向した状態で円を成し、２枚１組で断面円形の流入路６を閉じるようになっており、ヒンジ軸２２は、その弦２１ａの部分に設けられて、ヒンジ軸２２両端がケーシング１の接続管５，５に回転可能に支持される。
【００２７】
弁体２１，２１は、それぞれの面が流路に直交する状態から、図５の前方の接続部１１ａに示すように、前記ヒンジ軸２２を回転軸として流入室３側に向かって回転するようになっており、そのヒンジ軸２２に設けられたバネ等（図示せず）により付勢されて、流水管Ｐ，Ｐ’からフィルタ部材２内側の流入室３への流れのある場合にのみ、弁体２１，２１が開き、流れのない場合及びその流れによる弁体２１を押す力が付勢力以下の場合には、弁体２１，２１が前記直交状態に戻されて流路を閉じるようになっている。
【００２８】
逆止弁３０の構成は、同じく図６（ａ）に示すように、断面リング状の流出路７を左右に２分割して、その２分割した流路をそれぞれ塞ぐように設けた対の半リング状の弁体３１，３１と、その弁体３１，３１を開閉自在に支持するヒンジ軸３２からなる。前記半リング状の弁体３１，３１は、前記分割線に沿う対の弦３１ａ，３１ａの部分が対向した状態で環状を成し、２枚１組で断面リング状の流出路７を閉じるようになっており、ヒンジ軸３２は、その弁体３１，３１の対向する弦３１ａの部分に設けられて、ヒンジ軸３２両端がケーシング１の前記接続部１１ａ，１１ｂに回転可能に支持される。
【００２９】
弁体３１，３１は、それぞれ流路に直交する状態から、図５の後方の接続部１１ｂに示すように、前記ヒンジ軸３２を回転軸として流水管Ｐ’側に向かって回転するようになっており、そのヒンジ軸３２に設けられたバネ等（図示せず）により付勢されて、フィルタ部材２外側の流出室４から流水管Ｐ，Ｐ’への流れのある場合にのみ、弁体３１，３１が開き、流れのない場合及びその流れによる弁体３１を押す力が付勢力以下の場合には、弁体３１，３１が閉じるようになっている。
【００３０】
その流入路６、流出路７の内周にはそれぞれ弁座２３，３３が設けられているので、両弁体２１，３１は、前記付勢力により各流路６，７が閉じられて弁座２３，３３に接すると、その位置で完全に流路を閉じて動かないようになっている。また、この逆止弁２０，３０は、上流側、下流側の両接続部１１ａ，１１ｂの流入路６、流出路７にそれぞれ設けられる。
【００３１】
フィルタ部材２の内側には、その下端面中心に開閉弁１３を介して外部と連通する排出部１５がその上端を排出管１４の中空回転軸１６と水密に嵌合して設けられている。排出管１４は、フィルタ部材２の内周面に接する吸引ノズル１７とその吸引ノズル１７と連通した中空回転軸１６とを備えており、中空回転軸１６の上部が上蓋１ａを、下部がケーシング１底壁１ｂを水密に貫通し、回転軸１６の頭部に設けられた回転手段１８によって、ノズル１７をフィルタ部材２内周面に摺接しながら回転することができる。
【００３２】
回転軸１６には、ケーシング１に収納された部分の上端から下端にかけて、その回転軸１６からフィルタ部材２内周面に至る対の隔離板１６ａ，１６ａを取り付けており、この対の隔離板１６ａ，１６ａとフィルタ部材２内周面とで逆洗室が構成される。前記回転軸１６には、同じくそのケーシング１に収納された部分の上端から下端にかけて、前記逆洗室に向かって開く上下方向スリット形式の開口１６ｂが設けられ、その開口１６ｂ及び前記隔離板１６ａ，１６ａにより吸引ノズル１７が構成されている。
【００３３】
そのフィルタ部材２の下端面と、前記隔離板１６ａ，１６ａの下端縁とは僅かな隙間を介して設けられており、フィルタ部材２の底に沈下した夾雑物を、前記開口１６ｂを通じて排出部１５へ送り込むことができるようになっている。
【００３４】
この夾雑物除去装置の作用を説明すると、図１及び図２に矢印Ａで示すように、上流側部１２ａの流水管Ｐからケーシング１内に水の流入があると、その上流側の接続部１１ａの逆止弁３０は閉じ、逆止弁２０は開いて、流水管Ｐから流入室３へ至る流入路６のみが開放される。この開放により、上流側部１２ａの流水管Ｐからの水は、上流側の流入路６を通り抜けて流入室３に流入し、その水は、図中の矢印Ｂで示すように、フィルタ部材２の周面の網目の細孔を内側から外側に向かって通り抜けて流出室４に流れ込む。その際、夾雑物のうち比重の大きいものはフィルタ部材２底部に沈下し、比重の小さいものは周面に付着する。
【００３５】
ケーシング１内から下流側部１２ｂの流水管Ｐ’への水の流出は、その下流側の接続部１１ｂの逆止弁２０は閉じ、逆止弁３０は開いて、流出室４から流水管Ｐへ至る流出路７のみが開放される。この開放により、流出室４に流入した水は、下流側の流出路７を通り抜けて下流側部１２ｂの流水管Ｐ’へと、図１及び図２に矢印Ｃで示すように流出していく。
【００３６】
なお、図３及び図４は、流水管Ｐ，Ｐ’の水の流れが逆方向になった場合の説明図であり、その作用効果は、図１及び図２の場合と同じである。
【００３７】
上記の流れの過程において、前記流入路６及び流出路７は、それぞれ、図１に示す流水管Ｐ，Ｐ’及びケーシング１の中心軸の軸心Ｌを挟んで、横方向に対称に配置されており、また、図２に示す同じく中心軸の軸心Ｌを挟んで、上下方向にも対称に配置されている。このため、流水管Ｐからの流入水は、ケーシング１中央に向かって流入することができ、フィルタ部材２の全体に行きわたるようになる。流入水が、フィルタ部材２の全体に行きわたるようになることは、夾雑物の付着及び堆積も、その全体に均等に発生していくことにつながるので、フィルタ部材２の清掃の頻度を減らすことができる。
【００３８】
また、ケーシング１からの流出水は、そのケーシング１から流水管Ｐへ向かって前記軸心Ｌに沿って対称に流出するので、流水がケーシング１内、及び流水管Ｐ内において一部分に偏らない。さらに、そのフィルタ部材２内側部分に接続される流入路６が、流水管Ｐの軸心Ｌに近い中央側に配置され、フィルタ部材２外側部分に接続される流出路７は、流水管Ｐの軸心Ｌから遠い外側に配置されて、図１に示す矢印Ｂ及び矢印Ｃのごとく、内外各流路が、それぞれ対応するフィルタ部材内外両室に最短距離で接続されて、直線的に流入、流出できるようになっている。このため、ケーシング１内を通過する水の流れがスムースである。
【００３９】
なお、前記流入路６、及び流出路７の流路の断面積は、自由に設定可能であるが、図６（ａ）に示す、内側の円形流路の内径に対して、外側の環状流路の外径を１．４〜１．５倍に設定すれば、その外側の環状流路の断面積が内側の円形流路の断面積と同等以上になる。図６（ｂ）は、従来例の流入路４６、及び流出路４７を並列した構成であり、図６（ａ）に示す内側の円形流路と同じ断面積を有する流路を、上下方向に並べた状態を示している。図６（ａ）に示す流路の開口部全体の外径Ｒ１と、図６（ｂ）に示す流路の開口部全体の外径Ｒ２との差異により、ケーシング１を小型化し得る要因となる。
【００４０】
このフィルタ部材２で捕捉された夾雑物を排出する際には、開閉弁１３を開放することにより、ケーシング１内の圧と、排出部１５の開閉弁１３よりも外側部分の大気圧との間に圧力差が生じ、ケーシング１内の水が、排出部１５へと流れ込む。フィルタ部材周面に付着したあるいは、底部に堆積した夾雑物は、その水とともに排出部１５から外部へと排出される。このとき、回転手段１８によって吸引ノズル１７を回転軸１６周りに回転すると、フィルタ部材２周面に付着している夾雑物は、そのノズル１７から効果的に吸引されるので、フィルタ部材２の付着物がきれいに除去できる。
【００４１】
この実施形態では、流水管Ｐ，Ｐ’及びケーシング１の本体部１０の軸心を共通する１本の軸心Ｌ上に配置したが、この実施形態には限定されず、前記流水管Ｐ，Ｐ’及びケーシング１の本体部１０の各軸心が一致しない構成も考えられる。例えば、流水管Ｐ，Ｐ’及びそれに接続される各接続部１１ａ，１１ｂの軸心が、上流側と下流側との間で図２に示す上下方向、あるいは図１に示す横方向にずれている構成や、同軸心が、上流側と下流側との間で図１に示す回転軸１６を挟んで軸対称位置になく、流水管Ｐ，Ｐ’がケーシング１を介して平面方向、あるいは上下方向に屈曲している構成などであってもよい。
【００４２】
また、この実施形態では、前記流出路７は、前記流入路６の外周全周に亘って連続的に囲むように配置されて、前記流入路６の軸心と同心のリング状を形成したが、この実施形態には限定されず、前記流出路７は、前記流入路６の外周全周に断続的に設けてもよい。
【００４３】
例えば、図７に示すように、流入路６は四角形の断面を有しており、流出路７は、その外周に４分割されて配置される。この構成において、流入路６の逆止弁２０は、その四角形断面の流入路６をその対角線に沿って左右に２分割して、その２分割した各流路をそれぞれ塞ぐように設けた対の三角形状の弁体２１，２１と、その三角形状の弁体２１，２１を開閉自在に支持するヒンジ軸２２からなるようにした構成が考えられる。流出路７の逆止弁３０は、その四角形流入路６の外周各辺に設けたヒンジ軸３２によって開閉自在に支持されるようにすればよい。
【００４４】
また、フィルタ部材２の内側部分の流入室３、及び外側部分の流出室４とを、内外逆転した構成も考えられる。すなわち、図８に示すように、フィルタ部材２の内側部分を流出室４、外側部分を流入室３とするので、この構成の場合において、前記吸引ノズル１７は、外周面に摺接するように設ければよい。その際に、ノズル１７先端がフィルタ部材２の外周に位置して、フィルタ部材２外周面に付着している夾雑物をそのノズル１７から吸引させるためには、そのフィルタ部材２外側部分に位置するノズル１７を、フィルタ部材２内側部分にある前記回転軸１６に連通させる必要がある。そこで、前記対の隔離板１６ａ，１６ａをフィルタ部材２の外側に設け、その隔離板１６ａ，１６ａに挟まれた空間のフィルタ部材２側端面にはその周面に接する前記吸引ノズル１７を、その対側端面は閉じて逆洗室をフィルタ部材２の外側に形成する。この逆洗室を、ケーシング１内の上部又は下方において、前記中空回転軸１６から分岐してフィルタ２外方に至るよう設けた分岐管を介して、中空回転軸１６内と連通させるようにすればよい。
【００４５】
なお、この吸引ノズル１７は、回転軸１６に２つ以上設けて、その夾雑物除去効果を高めてもよい。例えば、その回転軸１６を挟んで対向する軸対称位置に、前記吸引ノズル１７をそれぞれ設けるなどしてもよく、また、開口１６ｂは、スリット形式でもよいし小穴の集合形式であってもよい。
【００４６】
また、そのフィルタ部材２を清掃する手段、すなわち、前記ノズル１７、回転軸１６、排出部１５等は、このフィルタ部材２を脱着可能にして清掃等しやすいようにするなどの手段を講ずること等により、必要に応じて省略してもよい。
【００４７】
また、フィルタ部材２は、この実施形態のように円筒状を成すもの以外のものを使用してもよい。例えば、図９に示すように、ケーシング１内を上下方向あるいは横方向に２分するように前記流入室３、流出室４を設けるようにした構成や、あるいは、前記流水管Ｐ，Ｐ’及びケーシング１の本体部１０の中心軸の軸心Ｌに並行な筒軸を有する筒状フィルタ部材２の両側端面開口をそれぞれ両側の流入路６に接続する構成としてもよい。
【図面の簡単な説明】
【００４８】
【図１】一実施形態の断面図
【図２】図１の側面断面図
【図３】図１の逆流状態を示す断面図
【図４】図２の逆流状態を示す断面図
【図５】図１の斜視図
【図６】流入路と流出路の位置関係を示す説明図
【図７】他の実施形態の流入路と流出路の位置関係を示す説明図
【図８】他の実施形態の断面図
【図９】他の実施形態の断面図
【図１０】従来例の断面図
【符号の説明】
【００４９】
１，４０  ケーシング
２，４２  フィルタ部材
３，４３  流入室
４，４４  流出室
５  接続管
６，４６  流入路
７，４７  流出路
１０  本体部
１１ａ，１１ｂ  接続部
１２ａ  上流側部
１２ｂ  下流側部
１３  開閉弁
１４  排出管
１５  排出部
１６  回転軸
１７  吸引ノズル
２０，３０，５０ａ，５０ｂ  逆止弁
２１，３１，５１  弁体
２２，３２  ヒンジ軸
２３，３３  弁座
Ｐ、Ｐ’  流水管
【図１】
2005185895.tif 000003
【図２】
2005185895.tif 000004
【図３】
2005185895.tif 000005
【図４】
2005185895.tif 000006
【図５】
2005185895.tif 000007
【図６】
2005185895.tif 000008
【図７】
2005185895.tif 000009
【図８】
2005185895.tif 000010
【図９】
2005185895.tif 000011
【図１０】
2005185895.tif 000012